(57)【要約】【課題】今まであるプラスチックのコンクリート型枠での上に伸ばせないや取り外しが出来ないと言う不都合を解決すること。【解決手段】１枚のプラスチックの板の中央部分に縦に溝を入れ回りに補強の板を作り補強板の部分に穴をあけたコンクリート型枠板１などにより、この課題を解決する【選択図】図１
2010013908.tif 000002
【特許請求の範囲】
【請求項１】
中央に溝を付け回りと横に補強板を付けその補強板に穴をあけた１枚のプラスチックの板を溝に沿って曲げることによってコーナーとしても使え横や上にもつないでいくと自由な大きさのプラスチックの枠が出来る事を特徴とするコンクリート型枠
【請求項２】
穴のあいた部分に専用固定具（図２図３）かボルトナットで止めることで簡単に固定でき大きさも自由に変えられることを特徴とするコンクリート型枠
【請求項３】
専用平面固定具（図４図５）で重ね合わせた平な面の段差を少なく抑え、また角のまがりをしっかりと保ちなおかつ補強の目的も兼ねて使用する事を特徴としているコンクリート型枠
【請求項４】
逆側で使用するとコンクリートが固まった後に取りはずしも出来ることを特徴とするコンクリート型枠
【発明の詳細な説明】
【技術分野】
【０００１】本発明はコンクリート用型枠板に関するものでありプラスチックで出来た１枚の板のまわりの部分と中央部分に複数の穴を開けた補強板と中央部分に縦に溝を付ける工夫を加えることにより１種類の板の組み合わせだけで自在に大きさを変え表側だけではなく裏側にして使用すればコンクリートがかたまった後にプラスチック型枠材の部分は取り外しが出来るようなタ目的タイプで使用できる様にした物である。また場合によっては横にも複数の穴の開いた補強板を付けても良い。
【背景技術】
【０００２】従来からコンクリート用型枠材として四角いままの物や爪をはめ込み、ジョイントを使用して横に大きく出来る物が利用されている。
【発明の開示】
【発明が解決しようとする課題】
【０００３】しかし、従来のプラスチック型枠では大きさも横に大きくなるだけで上方向への継ぎ足しで高くする事が出来ません。またプラスチックの型枠自体の取り外しもコンクリートの固まった後では出来ないような構造になっている。発明はこの概念を取り払い自由な大きさや使用によっては取り外しの出来ないという不都合を解決する事を課題とする。
【課題を解決するための手段】
【０００４】この課題を解決するための請求項１、の発明は１枚のプラスチックの板中央部分に縦に溝を入れ回りに補強の板を作り補強板の部分に穴をあけたことを特徴とする多機能なプラスチック型枠板である。
この穴に請求項２を付けて固定すると大きさを変えられ請求項３を付ければ補強にもなりコンクリートを入れた時のふくらみ防止の効果があり大きくしても強さを維持できる。【０００５】また、請求項２・請求項３は専用の固定具でこれを使用すれば、合わせ位置も決まり補強も兼ねている。【０００６】また、請求項４の発明は本製品を裏返して使用するとコンクリートが固まった後に本製品を取り外す事も出来コンクリートの中にプラスチックを残さなくすることも出来る。
【発明の効果】
【０００７】本発明により現在横に広げるだけで上に大きくや、取り外しが出来ない構造というのが難点だったが本型枠材を使用すれば、型枠材の大きさが横にも上にも広げられるようになり裏返しで使用すれば後で型枠材だけ取り外しも出来る。今までの、上に高くならなかった・取り外しが出来ればいいのにという不都合は解消される。
【発明を実施するための最良の形態】
【０００８】図１（１〜４）は自由に大きさが変えられるコンクリート型枠材の三角法で書いた製品図である。同図面に示すように、板の部分の中央に溝と回りと中央部分の補強板と補強板の部分に開いている複数の穴が特徴で表面でも裏面でも使用でき穴に専用止め具か市販のボルトナットを入れ固定すれば大きさは自由に変えられる。
（溝を曲げてコーナーとして使用・ストレートでジョイントとして使用する。）【０００９】図２（５〜７）は補強板に付いた穴を２枚合わせてその中に差し込み図３（８〜９）で図２の差し込みテーパー部分でしっかりと固定することが出来る。【００１０】図４（１０〜１１）はコーナーとして使用する時の角度の位置決めに使用し穴を合わせて図２を差し込み図３を溝の部分にさしこみ止める。
その際止めるものは専用止め具だけではなく市販のボルトナットでも止められる。【００１１】図５（１２〜１３）はジョイントとして使用する場合に中央の溝が切ってある部分に補強として使用し穴の部分に専用止め具かボルトナットを入れしっかりと固定する。また、コーナーとジョイントまたはジョイントとジョイントの補強板に差し込み穴の部分に図２を差し込み図３を溝の部分に差し込み止める。その際止める物は専用止め具ではなく市販のボルトナットでも止められる。【００１２】図６（１４〜１５）は外側に平面を出し内側に補強板を向けたものを１６枚（上下８枚ずつ）合わせて組み立て固定したものを上から見た図と横から見た図で横にも上にも組みつけられているのが分かるこの方式はコンクリートにそのまま残し表面にはプラスチックの光沢が残り大きさも自由に変えることが出来る。【００１３】図７（１６〜１７）は内側に平面を入れ外側に補強板を向けた物を１６枚（上下８枚ずつ）合わせて組み立て固定した物を上から見た図と横から見た図で、横にも上にも組み付けられているのが分かるこの方式はコンクリートが固まったら取り出しが出来コンクリートにプラスチックをそのまま残すのを防止する事が出来る。【００１４】これらコンクリート用型枠材の材料はプラスチックなどの通常の物でよい。
また本体中央部に縦に複数の溝をつけることで角ではなくＲに近い型にしても良い。
【産業上の利用可能性】
【００１５】本発明に係るコンクリート用型枠板及び専用止め具及び専用補助板は工業的に量産する事が可能であるため、産業上の利用可能性を有する。
【図面の簡単な説明】
【００１６】
【図１】中央に溝を付け回りと横に穴をあけた補強板を設けたコンクリート型枠板の三角法で書いた図面である。
【図２】コンクリート型枠板や補強板を合わせた時に重なり合った穴に差し込む専用止め具を三角法で書いた図面である。
【図３】コンクリート型枠板や補強板を合わせた時に重なり合った穴に差し込んだ専用止め具を固定する為に差し込む専用とめ具押さえの正面図と側面図を書いた図面である。
【図４】コンクリート型枠板を溝に沿って押り曲げた時に使用するコーナー補強板の正面図と側面図である。
【図５】コンクリート型枠板が圧力で溝の部分から曲がらないように補強にする事と２枚合わせたところが圧力で曲がらないように使用するストレート用補強板の正面図と側面図である。
【図６】コンクリート型枠板の穴の開いた補強板部分を内側に向け上と横に１６枚組み合わせた物を上側から見た上面図と横側から見た側面図である。
【図７】コンクリート型枠板の穴の開いた補強板部分を外側に向け上と横に１６枚組み合わせた物を上側から見た上面図と横側から見た側面図である。
【符号の説明】
【００１７】１、中央に溝を設け回りと横中央に穴の開いた補強板が付いているコンクリート型枠板を正面から見た図
２、中央に溝を設け回りと横中央に穴の開いた補強板が付いているコンクリート型枠板を上面から見た図
３、中央に溝を設け回りと横中央に穴の開いた補強板が付いているコンクリート型枠板を横から見た図
４、上面から見た図で丸印の部分の中央にある溝の拡大図
５、コンクリート型枠板にある補強板にあいた穴を合わせた穴に差し込む両側に切りかぎがあり右側にテーパーをもうけた専用止め具を側面から見た図
６、コンクリート型枠板にある補強板にあいた穴を合わせた穴に差し込む止め具で両側に切りかぎがあり右側にテーパーをもうけた専用止め具を上面から見た図
７、コンクリート型枠板にある補強板にあいた穴を合わせた穴に差し込む止め具で両側に切りかぎがあり右側にテーパーをもうけた専用止め具を正面から見た図
８、合わせた穴に入れた専用止め具の切りかぎにテーパーを合わせて差し込むことで押さえが前に移動してしっかり固定できる専用止め具の押さえを正面から見た図
９、合わせた穴に入れた専用止め具の切りかぎにテーパーを合わせて差し込むことで押さえが前に移動してしっかり固定できる専用止め具の押さえを側面より見た図
１０、コンクリート型枠板を溝に沿って曲げた時に補強板のコーナーの穴に合わせ専用止め具で固定しコーナーの型が崩れないようにするコーナー補強部品を正面より見た図
１１、コンクリート型枠板を溝に沿って曲げた時に補強板のコーナーの穴に合わせ専用止め具で固定しコーナーの型が崩れないようにするコーナー補強部品を側面より見た図
１２、コンクリート型枠板の縦に付いた溝の部分が曲がらないように補強板の穴に穴を合わせてストレート補強部品を置き専用止め具で固定して使用したりコンクリート型枠板をコーナーとジョイントで使用する場合は切り込み部分を補強板に差し込み穴と穴を合わせて専用止め具で固定し補強するストレート補強部品を正面から見た図
１３、コンクリート型枠板の縦に付いた溝の部分が曲がらないように補強板の穴に穴を合わせてストレート補強部品を置き専用止め具で固定して使用したりコンクリート型枠板をコーナーとジョイントで使用する場合は切り込み部分を補強板に差し込み穴と穴を合わせて専用止め具で固定し補強するストレート補強部品を側面から見た図
１４、コンクリート型枠板の８枚をコーナーに使用し８枚をジョイントに使用してコーナー４枚とジョイント４枚を２段に組み立てて専用止め具固定しコーナー補強部分とストレート補強部品で固定した平らな面を外側にした設置型用コンクリート型枠板を組み立てた物を上面から見た図
１５、コンクリート型枠板の８枚をコーナーに使用し８枚をジョイントに使用してコーナー４枚とジョイント４枚を２段に組み立てて専用止め具で固定しコーナー補強部品とストレート補強部品で固定した平らな面を外側にした設置型用コンクリート型枠板を組み立てた物を横から見た図
１６、コンクリート型枠板の８枚をコーナーに使用し８枚をジョイントに使用してコーナー４枚とジョイント４枚を２段に組み立てて専用止め具で固定しコーナー補強部品とストレート補強部品で固定した平らな面を内側にした取り外しのできるコンクリート型枠板を組み立てた物を上面から見た図
１７、コンクリート型枠板の８枚をコーナーに使用し８枚をジョイントに使用してコーナー４枚とジョイント４枚を２段に組み立てて専用止め具で固定しコーナー補強部品とストレート補強部品で固定した平らな面を内側にした取り外しのできるコンクリート型枠板を組み立てた物を横から見た図
【図１】
2010013908.tif 000003
【図２】
2010013908.tif 000004
【図３】
2010013908.tif 000005
【図４】
2010013908.tif 000006
【図５】
2010013908.tif 000007
【図６】
2010013908.tif 000008
【図７】
2010013908.tif 000009